(57)【特許請求の範囲】
【請求項１】
積層された枚葉紙を帳合した背部(4)と該枚葉紙を捲り自在とする腹部(5)とを備え、前記背部(4)に固着された背表紙(6)の両側に表側表紙(7)と裏側表紙(8)を延設した表紙体(9)を設けた書籍本体(2)を収納する展示ケースであり、
前記展示ケースは、前記書籍本体(2)の腹部(5)に対応する腹壁(30)と、前記表紙体(9)の表側表紙(7)及び裏側表紙(8)に対応する表側側壁(26)及び裏側側壁(27)と、前記背表紙(6)に対応する背壁(23)とを備えた透明又は半透明の合成樹脂シートにより形成された上部を開口する直方体形状のケース本体(22)を構成し、該ケース本体(22)の底部に底上げ手段(49)を設けることにより、該ケース本体(22)に書籍本体(2)を収納したとき、該書籍本体(2)の上部がケース本体(22)の開口から突出されるように構成したものにおいて、
前記展示ケースの開口縁に位置して、腹壁(30)から上向きに突出すると共に角度θだけ外向きに傾斜する案内舌片(42)を設けており、
前記案内舌片(42)は、腹壁(30)から一体に延設されており、該腹壁(30)の内側面と面一状態で上向きに延びる起立部(42a)と、該起立部の上端から下向きに折返された垂下部(42b)とを備え、
前記起立部(42a)を腹壁(30)の外向きに角度θだけ傾斜させることにより前記垂下部(42b)を下向きに移動させた状態で、該垂下部(42b)を腹壁(30)の外側面に固着して成ることを特徴とする書籍用展示ケース。
【請求項２】
積層された枚葉紙を帳合した背部(4)と該枚葉紙を捲り自在とする腹部(5)とを備え、前記背部(4)に固着された背表紙(6)の両側に表側表紙(7)と裏側表紙(8)を延設した表紙体(9)を設けた書籍本体(2)を収納する展示ケースであり、
前記展示ケースは、前記書籍本体(2)の腹部(5)に対応する腹壁(30)と、前記表紙体(9)の表側表紙(7)及び裏側表紙(8)に対応する表側側壁(26)及び裏側側壁(27)と、前記背表紙(6)に対応する背壁(23)とを備えた透明又は半透明の合成樹脂シートにより形成された上部を開口する直方体形状のケース本体(22)を構成し、該ケース本体(22)の底部に底上げ手段(49)を設けることにより、該ケース本体(22)に書籍本体(2)を収納したとき、該書籍本体(2)の上部がケース本体(22)の開口から突出されるように構成したものにおいて、
前記展示ケースの開口縁に位置して、腹壁(30)から上向きに突出すると共に角度θだけ外向きに傾斜する案内舌片(42)を設けており、
前記案内舌片(42)は、腹壁(30)と別体に形成されており、該腹壁(30)から上向きに延びる起立部(42a)と、該起立部の上端から下向きに折返された垂下部(42b)とを備え、
前記起立部(42a)を腹壁(30)の外向きに角度θだけ傾斜させることにより前記垂下部(42b)を下向きに移動させた状態で、前記起立部(42a)を腹壁(30)の内側面に固着すると共に、垂下部(42b)を腹壁(30)の外側面に固着して成ることを特徴とする書籍用展示ケース。
【請求項３】
積層された枚葉紙を帳合した背部(4)と該枚葉紙を捲り自在とする腹部(5)とを備え、前記背部(4)に固着された背表紙(6)の両側に表側表紙(7)と裏側表紙(8)を延設した表紙体(9)を設けた書籍本体(2)と、前記表紙体(9)の背表紙(6)と表側表紙(7)と裏側表紙(8)のそれぞれに重ね合わせられる背シート部(10)と表シート部(11)と裏シート部(12)を有する着脱自在な装丁シート(3)とを備えた書籍を収納する展示ケースであり、
前記展示ケースは、前記書籍本体(2)の腹部(5)に対応する腹壁(30)と、前記表紙体(9)の表側表紙(7)及び裏側表紙(8)に対応する表側側壁(26)及び裏側側壁(27)と、前記背表紙(6)に対応する背壁(23)とを備えた透明又は半透明の合成樹脂シートにより形成された上部を開口する直方体形状のケース本体(22)を構成し、該ケース本体(22)の底部に底上げ手段(49)を設けることにより、該ケース本体(22)に装丁シート(3)を収納し、装丁シート(3)の背シート部(10)と表シート部(11)と裏シート部(12)をそれぞれ背壁(23)と表側側壁(26)と裏側側壁(27)の内面に沿わせた状態で、該装丁シート(3)に囲まれた空間部に書籍本体(2)を収納したとき、該書籍本体(2)の上部がケース本体(22)の開口から突出されるように構成したものにおいて、
前記展示ケースは、背壁(23)と表側側壁(26)と裏側側壁(27)にそれぞれ上方に延びる背側舌片(32)と表側舌片(35)と裏側舌片(36)を折曲自在に設けると共に、該背側舌片(32)と表側舌片(35)と裏側舌片(36)を内側に折曲したとき、それぞれにより装丁シート(3)の背シート部(10)と表シート部(11)と裏シート部(12)の上縁部を保持するように構成し、
前記展示ケースの開口縁に位置して、腹壁(30)から上向きに突出すると共に角度θだけ外向きに傾斜する案内舌片(42)を設けており、
前記案内舌片(42)は、腹壁(30)から一体に延設されており、該腹壁(30)の内側面と面一状態で上向きに延びる起立部(42a)と、該起立部の上端から下向きに折返された垂下部(42b)とを備え、
前記起立部(42a)を腹壁(30)の外向きに角度θだけ傾斜させることにより前記垂下部(42b)を下向きに移動させた状態で、該垂下部(42b)を腹壁(30)の外側面に固着して成ることを特徴とする書籍用展示ケース。
【請求項４】
積層された枚葉紙を帳合した背部(4)と該枚葉紙を捲り自在とする腹部(5)とを備え、前記背部(4)に固着された背表紙(6)の両側に表側表紙(7)と裏側表紙(8)を延設した表紙体(9)を設けた書籍本体(2)と、前記表紙体(9)の背表紙(6)と表側表紙(7)と裏側表紙(8)のそれぞれに重ね合わせられる背シート部(10)と表シート部(11)と裏シート部(12)を有する着脱自在な装丁シート(3)とを備えた書籍を収納する展示ケースであり、
前記展示ケースは、前記書籍本体(2)の腹部(5)に対応する腹壁(30)と、前記表紙体(9)の表側表紙(7)及び裏側表紙(8)に対応する表側側壁(26)及び裏側側壁(27)と、前記背表紙(6)に対応する背壁(23)とを備えた透明又は半透明の合成樹脂シートにより形成された上部を開口する直方体形状のケース本体(22)を構成し、該ケース本体(22)の底部に底上げ手段(49)を設けることにより、該ケース本体(22)に装丁シート(3)を収納し、装丁シート(3)の背シート部(10)と表シート部(11)と裏シート部(12)をそれぞれ背壁(23)と表側側壁(26)と裏側側壁(27)の内面に沿わせた状態で、該装丁シート(3)に囲まれた空間部に書籍本体(2)を収納したとき、該書籍本体(2)の上部がケース本体(22)の開口から突出されるように構成したものにおいて、
前記展示ケースは、背壁(23)と表側側壁(26)と裏側側壁(27)にそれぞれ上方に延びる背側舌片(32)と表側舌片(35)と裏側舌片(36)を折曲自在に設けると共に、該背側舌片(32)と表側舌片(35)と裏側舌片(36)を内側に折曲したとき、それぞれにより装丁シート(3)の背シート部(10)と表シート部(11)と裏シート部(12)の上縁部を保持するように構成し、
前記展示ケースの開口縁に位置して、腹壁(30)から上向きに突出すると共に角度θだけ外向きに傾斜する案内舌片(42)を設けており、
前記案内舌片(42)は、腹壁(30)と別体に形成されており、該腹壁(30)から上向きに延びる起立部(42a)と、該起立部の上端から下向きに折返された垂下部(42b)とを備え、
前記起立部(42a)を腹壁(30)の外向きに角度θだけ傾斜させることにより前記垂下部(42b)を下向きに移動させた状態で、前記起立部(42a)を腹壁(30)の内側面に固着すると共に、垂下部(42b)を腹壁(30)の外側面に固着して成ることを特徴とする書籍用展示ケース。
【請求項５】
前記案内舌片(42)は、起立部(42a)と垂下部(42b)の折曲部に丸み(42c)を形成して成ることを特徴とする請求項１、２、３又は４に記載の書籍用展示ケース。
【発明の詳細な説明】
【技術分野】
【０００１】
本発明は、例えばレンタルショップ等において貸出用の書籍を展示するための書籍用展示ケースに関する。
【背景技術】
【０００２】
従来、例えば、レンタルショップにおいてビデオカセットを展示するためのケースが知られており、該ケースは、上部を開口する直方体形状のケース本体を構成し、該ケース本体の底部に底上げ手段が設けられている。尚、ケース本体の外側面は透明フィルムにより覆われている。
【０００３】
そこで、レンタルショップにおいては、前記透明フィルムを介してケース本体の外側面にジャケットシートを装着し、ケース本体にビデオカセットを収納することにより陳列棚等に展示している。この際、前記底上げ手段を介してビデオカセットの上部がケース本体の開口から突出した状態で展示される。
【０００４】
顧客は、ビデオカセットの上部が突出したものは、自分に対して貸出し可能であることを認識し、ビデオカセットの上部が突出していないものはケースが空であるから、他人に貸出し中であることを認識できる。
【０００５】
ところで、近年、漫画その他の書籍をレンタルに供したショップが出現し、店舗において書籍を展示するためのケースが求められている。
【０００６】
【特許文献１】特開平８−２５８３号公報
【発明の開示】
【発明が解決しようとする課題】
【０００７】
上述のビデオカセットの展示ケースに倣って本発明者が知得した書籍用展示ケースの比較例を図１及び図２に示している。
【０００８】
図１（Ａ）に示すように、書籍１は、書籍本体２と装丁シート３とから成る。書籍本体２は、積層された枚葉紙を帳合した背部４と該枚葉紙を捲り自在とする腹部５とを備え、前記背部４に固着された背表紙６の両側に表側表紙７と裏側表紙８を延設した表紙体９を設けている。装丁シート３は、前記表紙体９の背表紙６と表側表紙７と裏側表紙８のそれぞれに重ね合わせられる背シート部１０と表シート部１１と裏シート部１２を有し、表シート部１１及び裏シート部１２に設けた折返片１１ａ、１２ａをそれぞれ表側表紙７と裏側表紙８の内側に挟み込ませることにより、表紙体９を着脱自在に覆うように構成されている。この点は周知の通りである。
【０００９】
展示ケース１３は、図１（Ｂ）に示すように、透明又は半透明の可撓性を有する合成樹脂シートにより形成するのが良く、書籍本体２の腹部５に対応する腹壁１４と、前記表紙体９の表側表紙７及び裏側表紙８に対応する表側側壁１５及び裏側側壁１６と、前記背表紙６に対応する背壁１７とを備えた上部を開口する直方体形状のケース本体１８を構成し、該ケース本体１８の底部１９に底上げ手段２０を設けている。
【００１０】
書籍１の厚さｔ１、高さｈ１、奥行きｄ１に対応するケース本体１８の内部空間の厚さｔ２、高さｈ２、奥行きｄ２は、ｔ１＜ｔ２、ｈ１＝ｈ２、ｄ１＜ｄ２となるように形成されている。そこで、図１には示していないが、装丁シート３は、ケース本体１８に収納され、背シート部１０と表シート部１１と裏シート部１２をそれぞれ背壁１７と表側側壁１５と裏側側壁１６の内面に沿わせられる。この状態で、装丁シート３の表面に印刷された文字や図柄等がケース本体１８を透過して外部から視認される。
【００１１】
図１（Ｂ）に鎖線で示すように、ケース本体１８に収納された装丁シート３に囲まれた空間部に書籍本体２を収納すると、下面を底上げ手段２０により支持されるので、書籍本体２の上部がケース本体１８の開口から符号ｐで示すように突出され、この状態で陳列棚等に展示される。
【００１２】
従って、顧客は、陳列棚に展示されたケース本体１８を透視して装丁シート３を視認することにより商品を選別し、しかも、書籍本体２の上部が突出したものは、自分に対して貸出し可能であることを認識し、書籍本体２の上部が突出していないものは展示ケース１３が空であるから、他人に貸出し中であることを認識する。
【００１３】
ところで、店舗の店員は、展示ケース１８から書籍本体２を抜き取ることにより貸出に供する。そこで、返却された書籍本体２は、再び当該展示ケース１８に挿入し収納した状態で陳列棚等に展示する。
【００１４】
この点に関して、本発明者が知見したところによると、書籍本体２を展示ケース１８に挿入する際、ケース本体１８の開口縁に位置する腹壁１４の上縁に書籍本体２の腹部５が摺擦され損傷する問題がある。
【００１５】
上述のように、書籍本体２の奥行きｄ１とケース本体１８の内部空間の奥行きｄ２はｄ１＜ｄ２となるように構成されており、収納された書籍本体２がケース本体１８の内部で余裕を有するものとされているが、図２（Ａ）に示すように、書籍本体２をケース本体１８に挿入するとき、通常は、背表紙６からケース本体１８の内部に向けて挿入すると共に、背表紙６を背壁１７に沿って位置決めしながら挿入するため、書籍本体２が後傾状態で挿入され、その結果、腹部５の下端近傍部を腹壁１４の上縁に衝突させることになる。このため、損傷し易い腹部５が実際に損傷されてしまい、商品価値を減じるという問題がある。
【００１６】
そこで、この点の改善策として、図２（Ｂ）に示すように、腹壁１４の上縁を開口縁から下側に後退させるように切欠部２１を設け、書籍本体２を挿入することにより実験したところ、前述の図２（Ａ）の場合のように書籍本体２の腹部５が顕著に衝突する可能性は低下するが、依然として腹部５の下端近傍部が切欠部２１の縁に摺擦して損傷され、問題を解決することができなかった。
【００１７】
因みに、ケース本体１８の奥行きｄ２を書籍本体２の奥行きｄ１よりも顕著に大きく形成すれば、書籍本体２の挿入時に腹部５の下端近傍部が腹壁１４の上縁に当接しなくなることは勿論であるが、その場合、収納された書籍本体２がケース本体１８の内部で大きくガタツキを生じる問題があるだけでなく、ケース本体１８が大型化するため陳列棚も奥行きの大きいものが必要になるという問題がある。従って、実際には、書籍本体２の奥行きｄ１が１３０ｍｍの場合、ケース本体１８の奥行きｄ２は約１３５ｍｍ程度とすることが必要であり、奥行きｄ２と奥行きｄ１の差は５ｍｍ程度に制限される。
【００１８】
本発明は、書籍本体２をケース本体に挿入する際、書籍本体２の腹部の下端近傍部が損傷するおそれのない展示ケースを提供することを課題とするものである。
【課題を解決するための手段】
【００１９】
そこで、本発明が第一の手段として構成したところは、積層された枚葉紙を帳合した背部(4)と該枚葉紙を捲り自在とする腹部(5)とを備え、前記背部(4)に固着された背表紙(6)の両側に表側表紙(7)と裏側表紙(8)を延設した表紙体(9)を設けた書籍本体(2)を収納する展示ケースであり、前記展示ケースは、前記書籍本体(2)の腹部(5)に対応する腹壁(30)と、前記表紙体(9)の表側表紙(7)及び裏側表紙(8)に対応する表側側壁(26)及び裏側側壁(27)と、前記背表紙(6)に対応する背壁(23)とを備えた透明又は半透明の合成樹脂シートにより形成された上部を開口する直方体形状のケース本体(22)を構成し、該ケース本体(22)の底部に底上げ手段(49)を設けることにより、該ケース本体(22)に書籍本体(2)を収納したとき、該書籍本体(2)の上部がケース本体(22)の開口から突出されるように構成したものにおいて、前記展示ケースの開口縁に位置して、腹壁(30)から上向きに突出すると共に角度θだけ外向きに傾斜する案内舌片(42)を設けており、前記案内舌片(42)は、腹壁(30)から一体に延設されており、該腹壁(30)の内側面と面一状態で上向きに延びる起立部(42a)と、該起立部の上端から下向きに折返された垂下部(42b)とを備え、前記起立部(42a)を腹壁(30)の外向きに角度θだけ傾斜させることにより前記垂下部(42b)を下向きに移動させた状態で、該垂下部(42b)を腹壁(30)の外側面に固着して成る点にある。
【００２０】
また、本発明が第二の手段として構成したところは、積層された枚葉紙を帳合した背部(4)と該枚葉紙を捲り自在とする腹部(5)とを備え、前記背部(4)に固着された背表紙(6)の両側に表側表紙(7)と裏側表紙(8)を延設した表紙体(9)を設けた書籍本体(2)を収納する展示ケースであり、前記展示ケースは、前記書籍本体(2)の腹部(5)に対応する腹壁(30)と、前記表紙体(9)の表側表紙(7)及び裏側表紙(8)に対応する表側側壁(26)及び裏側側壁(27)と、前記背表紙(6)に対応する背壁(23)とを備えた透明又は半透明の合成樹脂シートにより形成された上部を開口する直方体形状のケース本体(22)を構成し、該ケース本体(22)の底部に底上げ手段(49)を設けることにより、該ケース本体(22)に書籍本体(2)を収納したとき、該書籍本体(2)の上部がケース本体(22)の開口から突出されるように構成したものにおいて、前記展示ケースの開口縁に位置して、腹壁(30)から上向きに突出すると共に角度θだけ外向きに傾斜する案内舌片(42)を設けており、前記案内舌片(42)は、腹壁(30)と別体に形成されており、該腹壁(30)から上向きに延びる起立部(42a)と、該起立部の上端から下向きに折返された垂下部(42b)とを備え、前記起立部(42a)を腹壁(30)の外向きに角度θだけ傾斜させることにより前記垂下部(42b)を下向きに移動させた状態で、前記起立部(42a)を腹壁(30)の内側面に固着すると共に、垂下部(42b)を腹壁(30)の外側面に固着して成る点にある。
【００２１】
また、本発明が第三の手段として構成したところは、積層された枚葉紙を帳合した背部(4)と該枚葉紙を捲り自在とする腹部(5)とを備え、前記背部(4)に固着された背表紙(6)の両側に表側表紙(7)と裏側表紙(8)を延設した表紙体(9)を設けた書籍本体(2)と、前記表紙体(9)の背表紙(6)と表側表紙(7)と裏側表紙(8)のそれぞれに重ね合わせられる背シート部(10)と表シート部(11)と裏シート部(12)を有する着脱自在な装丁シート(3)とを備えた書籍を収納する展示ケースであり、前記展示ケースは、前記書籍本体(2)の腹部(5)に対応する腹壁(30)と、前記表紙体(9)の表側表紙(7)及び裏側表紙(8)に対応する表側側壁(26)及び裏側側壁(27)と、前記背表紙(6)に対応する背壁(23)とを備えた透明又は半透明の合成樹脂シートにより形成された上部を開口する直方体形状のケース本体(22)を構成し、該ケース本体(22)の底部に底上げ手段(49)を設けることにより、該ケース本体(22)に装丁シート(3)を収納し、装丁シート(3)の背シート部(10)と表シート部(11)と裏シート部(12)をそれぞれ背壁(23)と表側側壁(26)と裏側側壁(27)の内面に沿わせた状態で、該装丁シート(3)に囲まれた空間部に書籍本体(2)を収納したとき、該書籍本体(2)の上部がケース本体(22)の開口から突出されるように構成したものにおいて、前記展示ケースは、背壁(23)と表側側壁(26)と裏側側壁(27)にそれぞれ上方に延びる背側舌片(32)と表側舌片(35)と裏側舌片(36)を折曲自在に設けると共に、該背側舌片(32)と表側舌片(35)と裏側舌片(36)を内側に折曲したとき、それぞれにより装丁シート(3)の背シート部(10)と表シート部(11)と裏シート部(12)の上縁部を保持するように構成し、前記展示ケースの開口縁に位置して、腹壁(30)から上向きに突出すると共に角度θだけ外向きに傾斜する案内舌片(42)を設けており、前記案内舌片(42)は、腹壁(30)から一体に延設されており、該腹壁(30)の内側面と面一状態で上向きに延びる起立部(42a)と、該起立部の上端から下向きに折返された垂下部(42b)とを備え、前記起立部(42a)を腹壁(30)の外向きに角度θだけ傾斜させることにより前記垂下部(42b)を下向きに移動させた状態で、該垂下部(42b)を腹壁(30)の外側面に固着して成る点にある。
【００２２】
更に、本発明が第四の手段として構成したところは、積層された枚葉紙を帳合した背部(4)と該枚葉紙を捲り自在とする腹部(5)とを備え、前記背部(4)に固着された背表紙(6)の両側に表側表紙(7)と裏側表紙(8)を延設した表紙体(9)を設けた書籍本体(2)と、前記表紙体(9)の背表紙(6)と表側表紙(7)と裏側表紙(8)のそれぞれに重ね合わせられる背シート部(10)と表シート部(11)と裏シート部(12)を有する着脱自在な装丁シート(3)とを備えた書籍を収納する展示ケースであり、前記展示ケースは、前記書籍本体(2)の腹部(5)に対応する腹壁(30)と、前記表紙体(9)の表側表紙(7)及び裏側表紙(8)に対応する表側側壁(26)及び裏側側壁(27)と、前記背表紙(6)に対応する背壁(23)とを備えた透明又は半透明の合成樹脂シートにより形成された上部を開口する直方体形状のケース本体(22)を構成し、該ケース本体(22)の底部に底上げ手段(49)を設けることにより、該ケース本体(22)に装丁シート(3)を収納し、装丁シート(3)の背シート部(10)と表シート部(11)と裏シート部(12)をそれぞれ背壁(23)と表側側壁(26)と裏側側壁(27)の内面に沿わせた状態で、該装丁シート(3)に囲まれた空間部に書籍本体(2)を収納したとき、該書籍本体(2)の上部がケース本体(22)の開口から突出されるように構成したものにおいて、前記展示ケースは、背壁(23)と表側側壁(26)と裏側側壁(27)にそれぞれ上方に延びる背側舌片(32)と表側舌片(35)と裏側舌片(36)を折曲自在に設けると共に、該背側舌片(32)と表側舌片(35)と裏側舌片(36)を内側に折曲したとき、それぞれにより装丁シート(3)の背シート部(10)と表シート部(11)と裏シート部(12)の上縁部を保持するように構成し、前記展示ケースの開口縁に位置して、腹壁(30)から上向きに突出すると共に角度θだけ外向きに傾斜する案内舌片(42)を設けており、前記案内舌片(42)は、腹壁(30)と別体に形成されており、該腹壁(30)から上向きに延びる起立部(42a)と、該起立部の上端から下向きに折返された垂下部(42b)とを備え、前記起立部(42a)を腹壁(30)の外向きに角度θだけ傾斜させることにより前記垂下部(42b)を下向きに移動させた状態で、前記起立部(42a)を腹壁(30)の内側面に固着すると共に、垂下部(42b)を腹壁(30)の外側面に固着して成る点にある。
【００２４】
前記案内舌片(42)は、起立部(42a)と垂下部(42b)の折曲部に丸み(42c)を形成することが好ましい。
【発明の効果】
【００２５】
本発明によれば、上部を開口する直方体形状のケース本体２２は、開口縁に位置して腹壁３０から上向きに突出すると共に角度θだけ外向きに傾斜する案内舌片４２を設けている。従って、通常の動作に従って書籍本体２の背表紙６を背壁２３に沿って位置決めしながら挿入し、傾斜姿勢とされた書籍本体２の腹部５の下端近傍部を腹壁３０に向けて下動すると、該腹部５の下端近傍部は、案内舌片４２の傾斜面に案内されることにより腹壁３０の内面に進入する。従って、腹部５の下端近傍部を損傷しないという効果がある。そして、ケース本体２２に収納された書籍本体２は、下面を底上げ手段４９により支持され、上部をケース本体２２の開口から突出した状態で展示されるので、顧客は、ケース本体２２に収納された装丁シート３の表面に印刷された文字や図柄等を透明又は半透明のケース本体２２を透過して外部から視認すると共に、上方に突出した書籍本体２の上部を視認することにより、書籍本体２が収納されていることを認識できる。
特に、本発明によれば、案内舌片４２は、腹壁３０から上向きに延びる起立部４２ａと、該起立部４２ａの上端から下向きに折返された垂下部４２ｂとを備え、前記起立部４２ａを腹壁３０の外向きに角度θだけ傾斜させることにより前記垂下部４２ｂを下向きに移動させた状態で、該垂下部４２ｂを腹壁３０の外側面に固着した構成であるから、可撓性を有するシート素材で案内舌片４２を形成する場合でも、該案内舌片４２が角度θを減じる方向に遊動することはなく、傾斜角度θを保持した状態で案内舌片４２を固定することができるという効果がある。
この際、請求項１又は請求項３に記載の本発明によれば、腹壁３０から一体に延設された案内舌片４２が起立部４２ａを該腹壁３０の内側面と面一状態となるように構成され、また、請求項２又は請求項４に記載の本発明によれば、腹壁３０と別体に形成された案内舌片４２が起立部４２ａを腹壁３０の内側面に固着される構成であるから、書籍本体２をケース本体２２に挿入する際、書籍本体２の腹部５の下端近傍部を起立部４２ａの傾斜面から腹壁３０の内面に円滑に進入させることができる。
【００２６】
そして、請求項３又は請求項４に記載の本発明によれば、ケース本体２２は、背壁２３と表側側壁２６及び裏側側壁２７にそれぞれ上方に延びる背側舌片３２と表側舌片３５及び裏側舌片３６を折曲自在に設けている。そこで、ケース本体２２に装丁シート３を収納し、装丁シート３の背シート部１０と表シート部１０及び裏シート部１２をそれぞれ背壁２３と表側側壁２６及び裏側側壁２７の内面に沿わせた状態で、前記背側舌片３２と表側舌片３５と裏側舌片３６を内側に折曲することにより、前記背シート部１０と表シート部１０及び裏シート部１２の上縁部を保持するように構成しているので、書籍本体２をケース本体２２に挿入する際、装丁シート３が捲れたり破れたりすることはない。
【００２７】
この際、背側舌片３２と表側舌片３５及び裏側舌片３６は、可撓性を有するので、それぞれ内側に折曲した状態で、下端を背シート部１０と表シート部１１及び裏シート部１２から離間する拡開傾斜姿勢状態で保持されるように構成すれば、書籍本体２をケース本体２２に収納したとき変形される背側舌片３２と表側舌片３５及び裏側舌片３６により書籍本体２を弾発保持し、書籍本体２をケース本体２２の内部で遊動しないように保持できる。
【００３０】
更に、請求項５に記載の本発明によれば、案内舌片４２は、起立部４２ａと垂下部４２ｂの折曲部に丸み４２ｃを形成しているので、書籍本体２をケース本体２２に挿入する際、書籍本体２の腹部５の下端近傍部を起立部４２ａの傾斜面に好適に案内できる他、万一、腹部５の下端近傍部が案内舌片４２に衝突するような場合でも、丸み４２ｃにより損傷を防止できる。
【発明を実施するための最良の形態】
【００３１】
以下図面に基づいて本発明の好ましい実施形態を詳述する。
【００３２】
図３は、本発明のケース本体２２を形成するための合成樹脂シート２２ａの展開状態を示している。合成樹脂シート２２ａは、透明又は半透明のものとして可撓性を有しており、背壁２３の両側に折曲線２４、２５を介して表側側壁２６と裏側側壁２７を延設し、表側側壁２６及び裏側側壁２７の両側にそれぞれ折曲線２８、２９を介して第１腹壁３０ａと第２腹壁３０ｂを延設している。前記背壁２７の上側には折曲線３１を介して背側舌片３２が延設されている。前記表側側壁２６及び裏側側壁２７の上側にはそれぞれ折曲線３３、３４を介して表側舌片３５と裏側舌片３６が延設され、下側にはそれぞれ折曲線３７、３８を介して底壁３９と底壁４０が延設されている。更に、第１腹壁３０ａ又は第２腹壁３０ｂ（図例の場合、第１腹壁３０ａ）の上側には折曲線４１を介して案内舌片４２が延設されている。
【００３３】
前記表側舌片３５及び裏側舌片３６は、延長方向の中途部で折曲自在とされるように中間折曲線４３、４４を設けている。また、前紀底壁３９、４０は、それぞれの延長縁部に一対の切欠部４５、４５を形成している。
【００３４】
合成樹脂シート２２ａは、図４及び図５に示すように折曲されることにより、ケース本体２２を形成する。即ち、背壁２３の両側で折曲線２４、２５を山折状に折曲することにより表側側壁２６と裏側側壁２７を対向させ、表側側壁２６と裏側側壁２７から折曲線２８、２９を山折状に折曲することにより第１腹壁３０ａと第２腹壁３０ｂを重ね合わせると共に固着４６することにより、背壁２３に対向する腹壁３０を形成し、これにより、上部を開口した直方体形状のケース本体２２を構成する。  前記第１腹壁３０ａと第２腹壁３０ｂの固着４６は、接着剤により形成しても良いが、超音波溶着、高周波溶着、熱溶着等の溶着により形成するのが好ましい。
【００３５】
底壁３９、４０は、表側側壁２６と裏側側壁２７から折曲線３７、３８を介して山折状に折曲されることにより突き合わせられ、図４（Ａ）に示すように、底部材４７の上に固着される。底部材４７は、図４（Ｂ）に示すように、ケース本体２２の底部の形状に適合する長方形の底板４８と、該底板４８の上部に突設された底上げ突部４９、４９を合成樹脂により一体に形成しており、底板４８をケース本体２２の底壁３９、４０の下面に重ね合わせ、接着剤又は超音波溶着、高周波溶着、熱溶着等の溶着により固着され、底上げ突部４９、４９を底壁３９、４０の切欠部４６、４６を挿通させることによりケース本体２２の内部に突出させており、これにより、底部材４７を備えたケース本体２２の全体が展示ケース５０として提供される。
【００３６】
ケース本体２２に収納される書籍１は、図１（Ａ）に基づいて説明した構成と同様であり、書籍本体２に表紙体９を設け、着脱自在な装丁シート３を備えている。従って、その構成は、図１（Ａ）に関する上述の説明を援用する。そこで、書籍本体２の厚さｔ１、高さｈ１、奥行きｄ１に対して、ケース本体２２は、図４（Ａ）に示すように、内部空間の厚さｔ３、高さｈ３、奥行きｄ３をｔ１＜ｔ３、ｈ１＝ｈ３、ｄ１＜ｄ３となるように形成されている。この際、ｈ１＝ｈ３は、正確に等しいものであることは必要でなく、概ね等しいものとされていれば良い。そこで、ケース本体２２に書籍本体２を収納すると、該書籍本体２は、下面を底上げ突部４９、４９により支持されるので、書上部をケース本体２２の開口から符号ｐで示すように突出される。
【００３７】
そして、書籍本体２の奥行きｄ１に対して、ケース本体２２の奥行きｄ３は、ｄ１×１．０５程度とされ、ｄ１×１．０８以下となるように形成されている。従って、書籍本体２の奥行きｄ１が１３０ｍｍの場合、ケース本体２２の奥行きｄ３は約１３５ｍｍ程度に形成するのが好ましく、奥行きｄ３は最大限１４０ｍｍ以下であり、奥行きｄ３と奥行きｄ１の差が１０ｍｍ以下に制限される。これにより、収納された書籍本体２がケース本体２２の内部で生じるガタツキを最小限に抑制することができ、陳列棚も特に奥行きの大きいものが必要とされることはない。
【００３８】
図６（Ａ）に示すように、腹壁３０から延設された案内舌片４２は、該腹壁３０から上向きに延びる起立部４２ａと、該起立部４２ａの上端から下向きに折返された垂下部４２ｂを備え、該垂下部４２ｂを腹壁３０の外側面に固着５１することにより、起立部４２ａを腹壁３０の外向きに角度θに相当して傾斜させており、起立部４２ａと垂下部４２ｂの折曲部により形成される案内舌片４２の先端に丸み４２ｃを形成している。尚、固着５１は、接着剤により形成しても良いが、超音波溶着、高周波溶着、熱溶着等の溶着により形成するのが好ましい。
【００３９】
展示ケース５０により書籍１を展示するに際しては、書籍１の装丁シート３がケース本体２２に収納される。図６に示すように、装丁シート３の背シート部１０がケース本体２２の背壁２３の内面に沿い、装丁シート３の表シート部１１と裏シート部１２がそれぞれケース本体２２の表側側壁２６と裏側側壁２７の内面に沿うようにして挿入され、装丁シート３の下縁を底壁３９、４０に当接させられる。
【００４０】
この状態で、背側舌片３２が折曲線３１を介して内側に折曲され、背シート部１０を保持する。また、折返片１１ａ、１２ａを表シート部１１と裏シート部１２に重ね合わせた状態で、表側舌片３５と裏側舌片４４が折曲線３３、３４を介して内側に折曲される。従って、表側舌片３５が表シート部１１に折返片１１ａを重ね合わせた状態で保持し、裏側舌片４４が裏シート部１２に折返片１２ａを重ね合わせた状態で保持する。この際、表側舌片３５と裏側舌片４４は、中間折曲線４３、４４を介して僅かに山折状に折曲され、これにより断面「く」字形に形成される。尚、ケース本体２２は可撓性の合成樹脂シートにより形成されているので、内側に折曲された背側舌片３２と表側舌片３５及び裏側舌片３６は、図示のように、それぞれの下端を背シート部１０と表シート部１１及び裏シート部１２から離間する拡開傾斜姿勢の状態で保持されている。
【００４１】
そこで、図７に示すように、ケース本体２２に収納された装丁シート３に囲まれた空間部に書籍本体２が挿入される。図示のように、書籍本体２は、通常の動作に従い、背表紙６からケース本体２２の内部に向けて挿入され、背表紙６を背側舌片３２に沿って位置決めしながら挿入される。従って、後傾状態で挿入される書籍本体２の腹部５の下端近傍部が腹壁３０に向けて下動される。この際、腹壁３０の上部には外向きに傾斜する案内舌片４２が設けられているので、書籍本体２の腹部５の下端近傍部は、案内舌片４２の傾斜した起立部４２ａに受け止められると共に案内され、その傾斜面に沿って腹壁３０の内面に向けて進入する。従って、図２に示した比較例のように腹部５の下端近傍部が損傷されることはない。
【００４２】
また、挿入時の書籍本体２は、後傾姿勢とされた背表紙６を背側舌片３２に沿って摺動されるが、図示のように、内側に折曲された背側舌片３２が該折曲部に丸み３２ａを形成しているので、背表紙６を擦傷しないように保護する。
【００４３】
ところで、案内舌片４２は、先端に丸み４２ｃを形成しているので、前述のように書籍本体２の腹部５の下端近傍部を起立部４２ａの傾斜面に好適に案内する他、万一、腹部５の下端近傍部が案内舌片４２に衝突するような場合でも、丸み４２ｃで損傷を防止することにより保護する。
【００４４】
ケース本体２２に収納された書籍本体２は、図８に示すように、下面を底上げ突起４９により支持されることにより、上部をケース本体２２の開口から突出し、この状態で展示ケース５０を陳列棚等に展示される。従って、装丁シート３の表面に印刷された文字や図柄等がケース本体２２を透過して外部から視認され、上方に突出した書籍本体２の上部を視認することにより、書籍本体２が収納されていることを認識できる。
【００４５】
このように書籍本体２をケース本体２２に収納した状態で、背側舌片３２と表側舌片３５及び裏側舌片３６がそれぞれ書籍本体２により押圧され、図示のように、装丁シート３の背シート部１０と表シート部１１及び裏シート部１２に向けて変形される。背側舌片３２と表側舌片３５及び裏側舌片３６は、可撓性を有するので、この状態で書籍本体２を弾発することにより遊動しないように保持する。
【００４６】
（案内舌片の第１実施形態）
図９は、案内舌片４２の第１実施形態を示している。図９（Ａ）に示すように、ケース本体２２の腹壁３０は、第２腹壁３０ｂを内側に配置し、第１腹壁３０ａを前記第２腹壁３０ｂの外面に重ね合わせることにより固着されており、案内舌片４２が外側に配置された第１腹壁３０ａから上向きに一体形成されている。尚、案内舌片４２の外向き表面に位置して幅方向に罫線状の溝等による折曲線５２が形成され、該折曲線５２を介して起立部４２ａと垂下部４２ｂを区分している。
【００４７】
そこで、図９（Ｂ）に示すように、起立部４２ａに対して垂下部４２ｂを前記折曲線５２により丸み４２ｃを形成しながら外向きで下方に折返した後、該起立部４２ａを腹壁３０の外向きに傾斜させると、垂下部４２ｂが下向きに移動されるので、該垂下部４２ｂを下方移動した状態で第１腹壁３０ａの外側面に固着５１する。これにより、図９（Ｃ）に示すように、起立部４２ａを角度θ１のように外向き傾斜した案内舌片４２が形成される。
【００４８】
従って、可撓性を有するシート素材で案内舌片４２を形成する場合でも、起立部４２ａは、垂下部４２ｂにより下向きに引っ張られた状態で腹壁３０の外側面に連結されているので、該起立部４２ａが角度θ１を減じる方向に変形するおそれはない。
【００４９】
尚、第１実施形態の場合、起立部４２ａの下端に第２腹壁３０ｂの上縁が露出されているので、書籍本体２をケース本体２２に挿入する際、書籍本体２の腹部５の下端近傍部が第２腹壁３０ｂの上縁に摺擦され、この点で好ましくない。従って、書籍本体２の腹部５の下端近傍部を起立部４２ａの傾斜面から腹壁３０の内面に円滑に進入させるためには、後述する第２実施形態のように構成するのが好ましい。
【００５０】
（案内舌片の第２実施形態）
図１０は、案内舌片４２の第２実施形態を示している。図１０（Ａ）に示すように、ケース本体２２の腹壁３０は、第１腹壁３０ａを内側に配置し、第２腹壁３０ｂを前記第１腹壁３０ａの外面に重ね合わせることにより固着されており、案内舌片４２が内側に配置された第１腹壁３０ａから上向きに一体形成されている。尚、案内舌片４２の外向き表面に位置して幅方向に罫線状の溝等による折曲線５２が形成され、該折曲線５２を介して起立部４２ａと垂下部４２ｂを区分している。
【００５１】
そこで、図１０（Ｂ）に示すように、起立部４２ａに対して垂下部４２ｂを前記折曲線５２により丸み４２ｃを形成しながら外向きで下方に折返した後、該起立部４２ａを腹壁３０の外向きに傾斜させると、垂下部４２ｂが下向きに移動されるので、該垂下部４２ｂを下方移動した状態で第２腹壁３０ｂの外側面に固着５１する。これにより、図１０（Ｃ）に示すように、起立部４２ａを角度θ２のように外向き傾斜した案内舌片４２が形成され、該起立部４２ａの傾斜面の下端が第１腹壁３０ａの内側面とほぼ面一に連なる。
【００５２】
従って、可撓性を有するシート素材で案内舌片４２を形成する場合でも、起立部４２ａは、垂下部４２ｂにより下向きに引っ張られた状態で腹壁３０の外側面に連結されるので、該起立部４２ａが角度θ２を減じる方向に変形するおそれはない。
【００５３】
ところで、第２実施形態の場合、垂下部４２ｂは第２腹壁３０ｂの肉厚を越えて折曲され、起立部４２ａを傾斜させた状態で第２腹壁３０ｂの外側面に固着５１される。従って、垂下部４２ｂと起立部４２ａは、第２腹壁３０ｂを介在しているため、相互に完全に重なり合うことはなく、両者４２ａ、４２ｂの間にほぼ三角形状の空間を形成するので、起立部４２ａの傾斜角度θ２を大きく形成することができる。即ち、第１実施形態における角度θ１に対し、θ２＞θ１となるように形成できる。
【００５４】
（案内舌片の第３実施形態）
図１１は、案内舌片４２の第３実施形態を示している。図１１（Ａ）に示すように、案内舌片４２は、ケース本体２２とは別体に形成され、例えば、ケース本体２２の素材と同様の可撓性合成樹脂シート素材により形成されている。腹壁３０は、第１腹壁３０ａと第２腹壁３０ｂを相互に重ね合わせると共に固着しており、第１腹壁３０ａと第２腹壁３０ｂの何れを内側に配置しても良い。
【００５５】
案内舌片４２は、下端に位置する固着部４２ｄから上側に順に起立部４２ａと垂下部４２ｂを延設しており、該案内舌片４２の外向き表面に位置して幅方向に罫線状の溝等による第１折曲線５２ａと第２折曲線５２ｂを形成している。第１折曲線５２ａは固着部４２ｄと起立部４２ａを区分し、第２折曲線５２ｂは起立部４２ａと垂下部４２ｂを区分する。
【００５６】
そこで、図１１（Ｂ）に示すように、起立部４２ａに対して垂下部４２ｂを前記折曲線５２により丸み４２ｃを形成しながら外向きで下方に折返した後、該起立部４２ａを腹壁３０の外向きに傾斜させることにより垂下部４２ｂを下向きに移動した状態で、固着部４２ｄを腹壁３０の内側面に固着５１ａすると共に、垂下部４２ｂを腹壁３０の外側面に固着５１ｂする。これにより、図１１（Ｃ）に示すように、起立部４２ａを角度θ３のように外向き傾斜した案内舌片４２が形成される。尚、固着部４２ｄを腹壁３０の内側面に固着５１ａした後、垂下部４２ｂを下方移動させた状態で腹壁３０の外側面に固着５１ｂするのが好ましいが、固着５１ａ、５１ｂを同時に行っても良い。
【００５７】
第３実施形態においても、起立部４２ａは、垂下部４２ｂにより下向きに引っ張られた状態で腹壁３０の外側面に連結されるので、該起立部４２ａが角度θ３を減じる方向に変形するおそれはない。
【００５８】
ところで、第３実施形態の場合、折曲された起立部４２ａと垂下部４２ｂは、その間に第１腹壁３９ａと第２腹壁３０ｂを介在した状態で折曲されており、相互に完全に重なり合うことはなく、両者４２ａ、４２ｂの間にほぼ三角形状の空間を形成するので、起立部４２ａの傾斜角度θ３を大きく形成することができる。即ち、第１実施形態の角度θ１及び第２実施形態の角度θ２に対し、θ３＞θ２＞θ１となるように形成することができる。
【図面の簡単な説明】
【００５９】
【図１】本発明の比較例を示しており、（Ａ）は書籍を示す斜視図、（Ｂ）は展示ケースを示す斜視図である。
【図２】比較例に係る展示ケースに書籍本体を挿入する際の作用を示しており、（Ａ）は書籍本体の腹部の下端近傍部がケース本体の腹壁の上縁に摺擦されている状態を示す断面図、（Ｂ）は書籍本体の腹部の下端近傍部がケース本体の腹壁に形成した切欠部に摺擦されている状態を示す断面図である。
【図３】本発明の実施形態に係る展示ケースのケース本体を形成するための合成樹脂シートを展開状態で示す平面図である。
【図４】本発明の展示ケースの実施形態を示しており、（Ａ）は展示ケースの斜視図、（Ｂ）は底部材の斜視図である。
【図５】ケース本体の組立状態を示しており、（Ａ）は横断面図、（Ｂ）はＢ−Ｂ線断面図、（Ｃ）はＣ−Ｃ線断面図である。
【図６】展示ケースに装丁シートを収納した状態を示しており、（Ａ）縦断正面図、（Ｂ）は縦断側面図である。
【図７】展示ケースに書籍本体を挿入する際の作用を示す縦断面図である。
【図８】展示ケースに書籍本体を挿入し収納した状態を示しており、（Ａ）は縦断正面図、（Ｂ）は縦断側面図である。
【図９】案内舌片の第１実施形態を示しており、（Ａ）は折曲前の状態を示す断面図、（Ｂ）は折曲中の状態を示す断面図、（Ｃ）は完成後の状態を示す断面図である。
【図１０】案内舌片の第２実施形態を示しており、（Ａ）は折曲前の状態を示す断面図、（Ｂ）は折曲中の状態を示す断面図、（Ｃ）は完成後の状態を示す断面図である。
【図１１】案内舌片の第３実施形態を示しており、（Ａ）は折曲前の状態を示す断面図、（Ｂ）は折曲中の状態を示す断面図、（Ｃ）は完成後の状態を示す断面図である。
【符号の説明】
【００６０】
１    書籍
２    書籍本体
３    装丁シート
５    腹部
６    背表紙
７    表側表紙
８    裏側表紙
１０    背シート部
１１    表シート部
１２    裏シート部
２２    ケース本体
２３    背壁
２６    表側側壁
２７    裏側側壁
３０    腹壁
３０ａ  第１腹壁
３０ｂ  第２腹壁
３２    背側舌片
３５    表側舌片
３６    裏側舌片
３９、４０  底壁
４２    案内舌片
４２ａ  起立部
４２ｂ  垂下部
４２ｃ  丸み
４７    底部材
４９    底上げ手段
５０    展示ケース
５１    固着
【図１】
0004839289.tif 000002
【図２】
0004839289.tif 000003
【図３】
0004839289.tif 000004
【図４】
0004839289.tif 000005
【図５】
0004839289.tif 000006
【図６】
0004839289.tif 000007
【図７】
0004839289.tif 000008
【図８】
0004839289.tif 000009
【図９】
0004839289.tif 000010
【図１０】
0004839289.tif 000011
【図１１】
0004839289.tif 000012